【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
サーバに接続された複数の端末装置を備え、当該端末装置のユーザ間の音声チャットを可能とするシステムであって、
音声チャットを実行する単位であるチャット単位のメンバである複数のユーザのうち少なくとも一部のユーザの端末装置が、当該チャット単位における音声チャットを実現する音声チャット通信を実行し、
前記チャット単位のメンバである第１のユーザの端末装置が、当該第１のユーザの指示に基づいて当該チャット単位のメンバである第２のユーザの端末装置に対して当該第１のユーザによって選択された音声ファイルの再生を要求し、
前記第２のユーザの端末装置が、前記音声ファイルの再生の要求に応答して当該音声ファイルを再生するものであって、
前記第１のユーザの端末装置が、前記第２のユーザの端末装置に対して音声スタンプの再生を要求し、
該第２のユーザの端末装置が前記音声スタンプを保有していない場合、前記音声スタンプの再生の要求に応答して、該第２のユーザの端末装置が前記サーバに記憶されている音声スタンプを取得し、該音声スタンプを再生する、
システム。
【請求項２】
前記第２のユーザの端末装置が前記サーバに記憶されている音声スタンプを取得した場合、前記第２のユーザの端末装置は該音声スタンプを記憶する請求項１に記載のシステム。
【請求項３】
前記第１のユーザの端末装置による音声スタンプの再生要求は、前記チャット単位のメンバの中から該第１のユーザによって選択された１又は複数の他のユーザの端末装置に対しても行われることを含む請求項１に記載のシステム。
【請求項４】
前記第１のユーザの端末装置による音声スタンプの再生要求は、該音声スタンプの識別情報を送信することにより行うことを含む請求項１ないし３のいずれかに記載のシステム。
【請求項５】
請求項１ないし４のいずれかに記載のシステムであって、
前記チャット単位のメンバは、当該チャット単位における音声チャットに参加している参加ユーザと、当該チャット単位における音声チャットに参加していない非参加ユーザとを含み、
前記参加ユーザの端末装置が、前記音声チャット通信を実行する、
システム。
【請求項６】
前記音声チャット通信の実行は、前記端末装置の音声入力部を介して入力された音声の音声データを他の端末装置に送信し、当該他の端末装置の音声入力部を介して入力された音声の音声データを受信することを含む請求項１ないし５のいずれかに記載のシステム。
【請求項７】
前記第１のユーザの端末装置は、前記第２のユーザの端末装置に記憶されている１又は複数の音声ファイルの中から前記第１のユーザによって選択された音声ファイルの再生を当該第２のユーザの端末装置に対して要求する請求項１ないし６のいずれかに記載のシステム。
【請求項８】
請求項７に記載のシステムであって、
前記第２のユーザの端末装置に記憶されている音声ファイルを記憶する第１の記憶装置を備え、
前記第１のユーザの端末装置は、当該第１のユーザによる前記再生を要求する音声ファイルの選択に応じて、当該音声ファイルを前記第１の記憶装置から取得して再生する請求項４に記載のシステム。
【請求項９】
請求項１ないし６いずれかに記載のシステムであって、
前記音声ファイルを記憶する第２の記憶装置を備え、
前記第１のユーザの端末装置は、前記第２の記憶装置に記憶されている１又は複数の音声ファイルの中から前記第１のユーザによって選択された音声ファイルの再生を当該第２のユーザの端末装置に対して要求し、
前記第２のユーザの端末装置は、前記音声ファイルの再生の要求に応答して前記第２の記憶装置から当該音声ファイルを取得して再生する、
システム。
【請求項１０】
請求項１ないし６いずれかに記載のシステムであって、
前記第１のユーザの端末装置は、当該第１のユーザの端末装置に記憶されている１又は複数の音声ファイルの中から前記第１のユーザによって選択された音声ファイルを当該第２のユーザの端末装置に対して送信し、
前記第２のユーザの端末装置は、前記音声ファイルの受信に応答して当該音声ファイルを再生する、
システム。
【請求項１１】
前記第２のユーザの端末装置は、前記音声ファイルの再生の要求に応答して当該再生の要求を通知する再生要求情報を表示する請求項１ないし１０いずれかに記載のシステム。
【請求項１２】
前記再生要求情報は、前記第１のユーザに関する情報と前記音声ファイルに関する情報とを含む請求項１１に記載のシステム。
【請求項１３】
前記第２のユーザの端末装置は、前記第２のユーザによる所定のアクションに応じて前記音声ファイルを再生する請求項１１又は１２に記載のシステム。
【請求項１４】
請求項１ないし１３いずれかに記載のシステムであって、
ユーザが保有する前記音声ファイルに関する情報を少なくとも記憶する第３の記憶装置を備え、
前記第１のユーザの端末装置は、前記第２のユーザが保有する１又は複数の音声ファイルの中から前記第１のユーザによって選択された音声ファイルの再生を当該第２のユーザの端末装置に対して要求する、
システム。
【請求項１５】
前記第１のユーザの端末装置は、当該第１のユーザがメンバである１又は複数の前記チャット単位を選択可能に表示し、当該１又は複数のチャット単位の中から当該第１のユーザによって選択されたチャット単位のメンバである１又は複数の他のユーザを選択可能に表示し、当該１又は複数の他のユーザの中から当該第１のユーザによって選択された前記第２のユーザの端末装置に対して前記音声ファイルの再生を要求する請求項１ないし１４いずれかに記載のシステム。
【請求項１６】
サーバに接続された複数の端末装置のユーザ間の音声チャットを可能とする方法であって、
音声チャットを実行する単位であるチャット単位のメンバである複数のユーザのうち少なくとも一部のユーザの端末装置が、当該チャット単位における音声チャットを実現する音声チャット通信を実行し、
前記チャット単位のメンバである第１のユーザの端末装置が、当該第１のユーザの指示に基づいて当該チャット単位のメンバである第２のユーザの端末装置に対して当該第１のユーザによって選択された音声ファイルの再生を要求し、
前記第２のユーザの端末装置が、前記音声ファイルの再生の要求に応答して当該音声ファイルを再生するものであって、
前記第１のユーザの端末装置が、前記第２のユーザの端末装置に対して音声スタンプの再生を要求し、
該第２のユーザの端末装置が前記音声スタンプを保有していない場合、前記音声スタンプの再生の要求に応答して、該第２のユーザの端末装置が前記サーバに記憶されている音声スタンプを取得し、該音声スタンプを再生する、
方法。
【請求項１７】
サーバに接続された複数の端末装置のユーザ間の音声チャットを可能とするためのプログラムであって、当該端末装置上で実行されることにより、
音声チャットを実行する単位であるチャット単位のメンバである複数のユーザのうち少なくとも一部のユーザの端末装置が、当該チャット単位における音声チャットを実現する音声チャット通信を実行し、
前記チャット単位のメンバである第１のユーザの端末装置が、当該第１のユーザの指示に基づいて当該チャット単位のメンバである第２のユーザの端末装置に対して当該第１のユーザによって選択された音声ファイルの再生を要求し、
前記第２のユーザの端末装置が、前記音声ファイルの再生の要求に応答して当該音声ファイルを再生するものであって、
前記第１のユーザの端末装置が、前記第２のユーザの端末装置に対して音声スタンプの再生を要求し、
該第２のユーザの端末装置が前記音声スタンプを保有していない場合、前記音声スタンプの再生の要求に応答して、該第２のユーザの端末装置が前記サーバに記憶されている音声スタンプを取得し、該音声スタンプを再生する、
プログラム。